(57)【要約】【課題】消費電力のピークを低く抑えてもショーケースの棚部の温度の変動を抑えることができる制御装置、制御方法及び制御プログラムを提供することである。【解決手段】実施形態の制御装置は、室内温度制御部と、電力制御部とを持つ。室内温度制御部は、物を冷蔵又は冷凍する陳列棚であるショーケースの除霜を開始する場合、ショーケースが設置される室内の温度を空調機器によって低下させる。電力制御部は、ショーケースの除霜の終了後にショーケースの棚部の温度を予め定められる温度まで戻す場合、空調機器の運転を制御して空調機器の消費電力を変化させる。【選択図】図１
2017101908.tif 000002
【特許請求の範囲】
【請求項１】
物を冷蔵又は冷凍する陳列棚であるショーケースの除霜を開始する場合、前記ショーケースが設置される室内の温度を空調機器によって低下させる室内温度制御部と、
前記ショーケースの除霜の終了後に前記ショーケースの棚部の温度を予め定められる温度まで戻す場合、前記空調機器の運転を制御して前記空調機器の消費電力を変化させる電力制御部と、
を備える制御装置。
【請求項２】
前記電力制御部は、前記ショーケースの消費電力が上昇した場合、前記空調機器の消費電力を低下させる、請求項１に記載の制御装置。
【請求項３】
前記電力制御部は、前記ショーケースの消費電力が上昇した場合、前記空調機器の運転を停止させる、請求項２に記載の制御装置。
【請求項４】
前記電力制御部は、前記ショーケースの除霜の終了後に前記ショーケースの棚部の温度を前記予め定められる温度まで戻す場合、前記ショーケース又は前記室内に光を照射するための照明機器の運転を前記ショーケースの消費電力に応じて制御して前記照明機器の消費電力を変化させる、請求項１に記載の制御装置。
【請求項５】
前記ショーケース又は前記室内の温度に応じて前記照明機器が照射する光の波長を変化させる波長制御部
を更に備える、請求項４に記載の制御装置。
【請求項６】
物を冷蔵又は冷凍する陳列棚であるショーケースの除霜を開始する場合、前記ショーケースが設置される室内の温度を、前記ショーケースの除霜が終了するまでに空調機器によって低下させる室内温度制御部
を備える制御装置。
【請求項７】
物を冷蔵又は冷凍する陳列棚であるショーケースの除霜の終了後に前記ショーケースの棚部の温度を予め定められる温度まで戻す場合、前記ショーケースが設置される室内の温度を調整する空調機器の運転を制御して前記空調機器の消費電力を変化させる電力制御部
を備える制御装置。
【請求項８】
制御装置における制御方法であって、
物を冷蔵又は冷凍する陳列棚であるショーケースの除霜を開始する場合、前記ショーケースが設置される室内の温度を空調機器によって低下させるステップと、
前記ショーケースの除霜の終了後に前記ショーケースの棚部の温度を予め定められる温度まで戻す場合、前記空調機器の運転を制御して前記空調機器の消費電力を変化させるステップと、
を含む制御方法。
【請求項９】
コンピュータに、
物を冷蔵又は冷凍する陳列棚であるショーケースの除霜を開始する場合、前記ショーケースが設置される室内の温度を空調機器によって低下させる手順と、
前記ショーケースの除霜の終了後に前記ショーケースの棚部の温度を予め定められる温度まで戻す場合、前記空調機器の運転を制御して前記空調機器の消費電力を変化させる手順と、
を実行させるための制御プログラム。
【発明の詳細な説明】
【技術分野】
【０００１】
本発明の実施形態は、制御装置、制御方法及び制御プログラムに関する。
【背景技術】
【０００２】
物を冷蔵又は冷凍する陳列棚であるショーケース、空調機器及び照明機器などの機器群が、店舗等に設置される場合がある。ショーケースは、予め定められる時刻にショーケースの棚部の温度（庫内温度）を一定の温度まで上げて除霜をする必要がある。ショーケースは、除霜を終了した場合には通常よりも多くの電力を消費して、ショーケースの棚部の温度を予め定められる温度まで短時間で戻す。これによって、ショーケースは、ショーケースの棚部の温度の変動を抑えることができる。しかしながら、従来の制御装置は、消費電力のピークを低く抑えることなく、ショーケースの棚部の温度の変動を抑えることができない場合があった。
【先行技術文献】
【特許文献】
【０００３】
【特許文献１】特開２００５−３７１０９号公報
【特許文献２】特開平０８−９６９７０号公報
【発明の概要】
【発明が解決しようとする課題】
【０００４】
本発明が解決しようとする課題は、消費電力のピークを低く抑えてもショーケースの棚部の温度の変動を抑えることができる制御装置、制御方法及び制御プログラムを提供することである。
【課題を解決するための手段】
【０００５】
実施形態の制御装置は、室内温度制御部と、電力制御部とを持つ。室内温度制御部は、物を冷蔵又は冷凍する陳列棚であるショーケースの除霜を開始する場合、ショーケースが設置される室内の温度を空調機器によって低下させる。電力制御部は、ショーケースの除霜の終了後にショーケースの棚部の温度を予め定められる温度まで戻す場合、空調機器の運転を制御して空調機器の消費電力を変化させる。
【図面の簡単な説明】
【０００６】
【図１】実施形態における、制御システムの構成の第１例を示す図。
【図２】実施形態における、機器群を連係させなかった場合での消費電力の変化の例を示す図。
【図３】実施形態における、機器群を連係させなかった場合での温度の変化の例を示す図。
【図４】実施形態における、機器群を連係させた場合での消費電力の変化の第１例を示す図。
【図５】実施形態における、機器群を連係させた場合での温度の変化の第１例を示す図。
【図６】実施形態における、機器群を連係させた場合での消費電力の変化の第２例を示す図。
【図７】実施形態における、機器群を連係させた場合での消費電力の変化の第３例を示す図。
【図８】実施形態における、制御システムの構成の第２例を示す図。
【図９】実施形態における、機器群を連係させた場合での消費電力の変化の第４例を示す図。
【図１０】実施形態における、制御システムの構成の第３例を示す図。
【図１１】実施形態における、機器群を連係させた場合での温度の変化の第２例を示す図。
【発明を実施するための形態】
【０００７】
以下、実施形態の制御装置、制御方法及び制御プログラムを、図面を参照して説明する。
（第１の実施形態）
図１は、制御システム１ａの構成の第１例を示す図である。制御システム１ａは、機器群を連係させるシステムである。制御システム１ａは、室内温度センサ１０と、空調制御装置２０と、空調機器３０と、ショーケース４０と、ショーケース制御装置５０と、照明制御装置６０と、室内照明機器７０と、制御装置８０ａとを備える。
【０００８】
以下、制御システム１ａの機器群は、一例として、空調機器３０と、ショーケース４０と、室内照明機器７０とである。制御システム１ａの機器群は、例えば、店舗や工場に設置される。制御システム１ａの機器群には、電力系統から電力が供給される。
【０００９】
なお、制御システム１ａの機器群には、電力系統から共通の電力線を介して電力が供給されてもよし、電力系統から異なる電力線を介して電力が供給されてもよい。例えば、制御システム１ａの機器群には、空調制御装置２０、ショーケース制御装置５０又は照明制御装置６０によって制御される機器ごとに異なる電力線を介して、電力が供給されてもよい。制御システム１ａの機器群には、太陽光発電システムや蓄電池等の分散電源から、電力が供給されてもよい。また、制御システム１ａの機器群の一部にのみ、分散電源から電力が供給されてもよい。
【００１０】
室内温度センサ１０は、ショーケース４０が設置される室内の温度を測定する。室内温度センサ１０は、例えば、ショーケース４０が設置される室内の天井に設置される。室内温度センサ１０は、ショーケース４０が設置される室内の温度を示す情報を、制御装置８０ａに送信する。
【００１１】
空調制御装置２０は、制御装置８０ａから取得した制御信号に基づいて、空調機器３０を制御する。制御信号は、例えば、空調機器３０の運転を制御して空調機器３０の消費電力を変化させるための信号（以下、「空調電力制御信号」という。）を含む。制御信号は、例えば、空調機器３０の運転の開始（オン）又は停止（オフ）を制御するための信号（以下、「空調運転制御信号」という。）を含む。制御信号は、例えば、空調機器３０の運転を制御して室内の温度を目標値（設定値）にするための信号（以下、「室内温度制御信号」という。）である。室内温度制御信号は、室内の温度の目標値（設定値）を含む。
【００１２】
空調機器３０は、熱交換器及びコンプレッサを有する冷凍サイクル装置によって、外気と室内の温度とを熱交換する。空調機器３０は、ショーケース４０が設置される室内の温度を調整する。例えば、空調機器３０は、ショーケース４０が設置される室内の温度を、室内温度制御信号に基づいて室内の温度が目標値となるように調整する。
【００１３】
空調機器３０は、空調運転制御信号に基づいて、空調機器３０の運転の開始（オン）及び停止（オフ）を切り替える。空調機器３０は、空調電力制御信号に基づいて、空調機器３０の消費電力を変化させる。空調機器３０は、空調電力制御信号に応じてコンプレッサの回転数を変更することによって、熱媒の流量を変更する。
【００１４】
ショーケース４０（要冷機）は、物を冷蔵又は冷凍する陳列棚である。ショーケース４０の冷気は、ショーケース４０から室内に漏れることがある。ショーケース４０は、ショーケース照明機器４１と、ショーケース温度センサ４２と、室外機４３とを備える。
【００１５】
ショーケース照明機器４１は、制御信号をショーケース制御装置５０から取得する。ショーケース照明機器４１は、制御信号を照明制御装置６０から取得してもよい。制御信号は、例えば、ショーケース照明機器４１の点灯（オン）又は消灯（オフ）を制御するための信号（以下、「ショーケース照明運転制御信号」という。）を含む。制御信号は、例えば、室外機４３の運転の開始（オン）又は停止（オフ）を制御するための信号（以下、「室外機運転制御信号」という。）を含む。制御信号は、例えば、室外機４３の運転を制御して室外機４３の消費電力を変化させるための信号（以下、「室外機電力制御信号」という。）を含む。ショーケース照明機器４１は、ショーケース制御装置５０から取得したショーケース照明運転制御信号に基づいて、ショーケース４０の棚部に光（可視光）を照射する。
【００１６】
ショーケース温度センサ４２は、ショーケース４０の棚部の温度（庫内温度）を測定する。ショーケース温度センサ４２は、ショーケース４０の棚部の温度を示す情報を、ショーケース制御装置５０に送信する。
【００１７】
室外機４３は、熱交換器及びコンプレッサを有する冷凍サイクル装置によって、外気とショーケース４０の棚部の温度（庫内温度）とを熱交換する。すなわち、室外機４３は、ショーケース４０を冷却する。室外機４３は、ショーケース制御装置５０から取得した制御信号に基づいて、ショーケース４０の棚部の温度の変動を抑える。制御信号は、例えば、ショーケース４０の棚部の温度の目標値（設定値）を制御するための信号（以下、「ショーケース内温度制御信号」という。）でもよい。ショーケース内温度制御信号は、ショーケース４０の棚部の温度の目標値（設定値）を含む。
【００１８】
ショーケース制御装置５０は、制御装置８０ａから取得した制御信号に基づいて、ショーケース照明機器４１を制御する。例えば、ショーケース制御装置５０は、ショーケース内温度制御信号（設定値）と室外機運転制御信号（オン・オフ）と室外機電力制御信号（消費電力値）とに基づいて、ショーケース４０の室外機４３を制御する。ショーケース制御装置５０は、ショーケース４０の棚部の温度を示す情報を、制御装置８０ａに送信する。
【００１９】
照明制御装置６０は、制御装置８０ａから取得した制御信号に基づいて、室内照明機器７０を制御する。制御信号は、例えば、室内照明機器７０の点灯（オン）又は消灯（オフ）を制御するための信号（以下、「室内照明運転制御信号」という。）でもよい。
【００２０】
室内照明機器７０は、蛍光灯やＬＥＤ（Light Emitting Diode）照明などの機器である。室内照明機器７０は、照明制御装置６０から取得した室内照明運転制御信号に基づいて、ショーケース４０が設置される室内に光（可視光）を照射する。
【００２１】
制御装置８０ａは、情報処理装置である。制御装置８０ａは、空調機器３０と室外機４３とを、制御信号によって連係させる。これによって、制御装置８０ａは、機器群の消費電力のピークを低く抑えてもショーケース４０の棚部の温度の変動を抑えることができる。
【００２２】
制御装置８０ａは、通信部８１と、記憶部８２と、操作部８３と、表示部８４と、タイマ８５と、制御部８６ａとを備える。制御部８６ａは、電力制御部８６０と、温度制御部８６１とを備える。通信部８１と、操作部８３と、表示部８４と、タイマ８５と、制御部８６ａとの一部または全部は、例えば、ＣＰＵ（Central Processing Unit）等のプロセッサが、記憶部に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００２３】
通信部８１は、ショーケース４０が設置される周囲の室内の温度を示す情報を、室内温度センサ１０から取得する。通信部８１は、制御部８６ａによる制御に基づいて、空調制御装置２０とショーケース制御装置５０と照明制御装置６０とに制御信号を送信する。例えば、通信部８１は、温度制御部８６１による制御に基づいて、室内温度制御信号を空調制御装置２０に送信する。
【００２４】
例えば、通信部８１は、電力制御部８６０による制御に基づいて、空調電力制御信号と空調運転制御信号とを、空調制御装置２０に送信する。例えば、通信部８１は、電力制御部８６０による制御に基づいて、ショーケース照明運転制御信号を、ショーケース制御装置５０に送信する。例えば、通信部８１は、電力制御部８６０による制御に基づいて、室外機運転制御信号と室外機電力制御信号とを、ショーケース制御装置５０に送信する。例えば、通信部８１は、電力制御部８６０による制御に基づいて、室内照明運転制御信号を、照明制御装置６０に送信する。
【００２５】
例えば、通信部８１は、温度制御部８６１による制御に基づいて、室内温度制御信号を、空調制御装置２０に送信する。例えば、通信部８１は、温度制御部８６１による制御に基づいて、ショーケース内温度制御信号を、ショーケース制御装置５０に送信してもよい。通信部８１は、通信回線１００を介して、制御装置８０ａの外部の監視装置１１０と通信してもよい。監視装置１１０は、例えば、サーバ装置等の情報処理装置である。監視装置１１０は、制御装置８０ａを遠隔から制御するために、制御装置８０ａが制御に使用する設定値等を、通信回線１００を介して変更してもよい。監視装置１１０は、制御装置８０ａを遠隔から監視するために、制御装置８０ａが制御に使用する設定値等を、通信回線１００を介して取得してもよい。設定値は、例えば、タイマ８５の設定値である。
【００２６】
記憶部８２は、磁気ハードディスク装置や半導体記憶装置等の不揮発性の記憶媒体（非一時的な記録媒体）を有する記憶装置を用いて構成される。記憶部８２は、例えば、ＲＡＭ（Random Access Memory）やレジスタなどの揮発性の記憶媒体を有していてもよい。データベース３２は、クラウドコンピューティング技術によってデータを記憶してもよい。
【００２７】
操作部８３は、ユーザによる操作を受け付ける。ユーザによる操作は、例えば、制御システム１ａの機器群を連係させるための指示信号を制御部８６ａに送信するための操作である。操作部８３は、例えば、キーボード、マウス、タッチパネルである。操作部８３は、ユーザによる操作に応じた信号を、制御部８６ａに送信する。
【００２８】
表示部８４は、表示装置である。表示部８４は、例えば、液晶ディスプレイを備える。表示部８４は、制御部８６ａによる制御に応じて画像を表示する。画像は、例えば、電力の変化を時系列で示すグラフ、温度の変化を時系列で示すグラフである。画像は、例えば、電力値、温度を示す数値を表示してもよい。
【００２９】
タイマ８５（トリガー部）は、予め定められる条件が成立した場合、トリガー信号を制御部８６ａに送信する。例えば、タイマ８５は、予め定められる時刻（タイミング）になった場合、トリガー信号を制御部８６ａに送信する。予め定められる時刻を示す情報は、記憶部８２に記憶されていてもよい。予め定められる時刻は、例えば、ショーケース４０の除霜を開始又は終了する時刻、空調機器３０の消費電力を変化させる時刻や、空調機器３０の運転の起動（オン）又は停止（オフ）を実行する時刻である。
【００３０】
なお、タイマ８５は、室内の温度が一定範囲を超えた場合、トリガー信号を制御部８６ａに送信してもよい。タイマ８５は、ショーケース４０の棚部の温度が一定範囲を超えた場合、トリガー信号を制御部８６ａに送信してもよい。
【００３１】
電力制御部８６０は、トリガー信号をタイマ８５から取得する。電力制御部８６０は、トリガー信号を取得した場合、通信部８１を介して、空調電力制御信号と空調運転制御信号とを空調制御装置２０に送信する。例えば、電力制御部８６０は、ショーケース４０の除霜の終了後にショーケース４０の棚部の温度を予め定められる温度まで戻す場合、空調機器３０の消費電力をショーケース４０の室外機４３等の消費電力に応じて制御する。
【００３２】
電力制御部８６０は、トリガー信号を取得しない場合でも、室内の温度が閾値を超えた場合には、室外機４３がショーケース４０の棚部の温度を目標値（設定値）まで低下させるのを補助するため、空調電力制御信号と空調運転制御信号とを空調制御装置２０に送信してもよい。
【００３３】
電力制御部８６０は、トリガー信号を取得した場合、通信部８１を介して、室外機運転制御信号と室外機電力制御信号とをショーケース制御装置５０に送信する。電力制御部８６０は、トリガー信号を取得しない場合でも、ショーケース４０の棚部の温度が閾値を超えた場合には、ショーケース４０の棚部の温度を目標値（設定値）まで低下させるため、室外機運転制御信号と室外機電力制御信号とをショーケース制御装置５０に送信してもよい。
【００３４】
電力制御部８６０は、トリガー信号を取得した場合、通信部８１を介して、ショーケース照明運転制御信号をショーケース制御装置５０に送信してもよい。電力制御部８６０は、トリガー信号を取得した場合、通信部８１を介して、室内照明運転制御信号を照明制御装置６０に送信してもよい。
【００３５】
温度制御部８６１は、トリガー信号をタイマ８５から取得する。温度制御部８６１（室内温度制御部）は、トリガー信号を取得した場合、通信部８１を介して、室内温度制御信号を空調制御装置２０に送信する。例えば、温度制御部８６１（ショーケース温度制御部）は、ショーケース４０の除霜を開始させる場合、ショーケース４０が設置される室内の温度を空調機器３０によって低下させる。これによって、温度制御部８６１は、ショーケース４０の除霜を実行する室外機４３の消費電力のピークを、低くすることができる。温度制御部８６１は、トリガー信号を取得した場合、通信部８１を介して、ショーケース内温度制御信号をショーケース制御装置５０に送信してもよい。
【００３６】
図２は、機器群を連係させなかった場合での消費電力の変化の例を示す図である。横軸は時刻を示す。上から１段目の縦軸は、室外機４３の消費電力を示す。上から２段目の縦軸は、空調機器３０の消費電力を示す。上から３段目の縦軸は、空調機器３０の運転の起動（オン）及び停止（オフ）を示す。上から４段目の縦軸は、室内照明機器７０の消費電力を示す。上から５段目の縦軸は、ショーケース照明機器４１の消費電力を示す。上から６段目の縦軸は、制御システム１ａの機器群の消費電力の合計を示す。
【００３７】
時刻ｔ０において、電力制御部８６０は、予め定められる室外機基準電力で室外機４３を動作させる。時刻ｔ０〜時刻ｔ３において、電力制御部８６０は、予め定められる空調機器基準電力で空調機器３０を動作させる。時刻ｔ０〜時刻ｔ３において、電力制御部８６０は、空調機器３０の運転をオン状態に維持する。時刻ｔ０〜時刻ｔ３において、電力制御部８６０は、予め定められる室内照明機器基準電力で室内照明機器７０を動作させる。時刻ｔ０〜時刻ｔ３において、電力制御部８６０は、予め定められるショーケース照明機器基準電力でショーケース照明機器４１を動作させる。したがって、時刻ｔ０において、機器群の消費電力の合計は、室外機基準電力と空調機器基準電力と室内照明機器基準電力とショーケース照明機器基準電力との合計となる。
【００３８】
時刻ｔ１において、電力制御部８６０は、ショーケース４０の除霜を開始する。時刻ｔ１において、電力制御部８６０は、室外機基準電力以上かつ室外機４３の定格電力以下の消費電力で、室外機４３を動作させる。したがって、時刻ｔ１において、機器群の消費電力の合計は、室外機基準電力と空調機器基準電力と室内照明機器基準電力とショーケース照明機器基準電力との合計よりも高い電力となる。
【００３９】
時刻ｔ２において、電力制御部８６０は、ショーケース４０の除霜を終了する。時刻ｔ２において、電力制御部８６０は、室外機４３の定格電力で室外機４３を動作させる。したがって、時刻ｔ２において、機器群の消費電力の合計は、時刻ｔ２における室外機４３の消費電力と等しい。時刻ｔ２では、機器群の消費電力の合計にピークが発生する。機器群の消費電力の合計のピークは、ショーケース４０の棚部の温度（庫内温度）を短時間に低下させる目的で室外機４３の消費電力が高くなるために発生する。
【００４０】
時刻ｔ２〜時刻ｔ３において、電力制御部８６０は、室外機４３の消費電力を低下させる。時刻ｔ３において、電力制御部８６０は、室外機基準電力で室外機４３を動作させる。したがって、時刻ｔ３において、機器群の消費電力の合計は、室外機基準電力と空調機器基準電力と室内照明機器基準電力とショーケース照明機器基準電力との合計となる。
【００４１】
図３は、機器群を連係させなかった場合での温度の変化の例を示す図である。横軸は時刻を示す。上から１段目の縦軸は、ショーケース温度センサ４２によるショーケースの棚部の温度の測定値（庫内温度の測定値）を示す。上から２段目の縦軸は、空調機器３０に対して指示される室内温度の目標値（設定値）を示す。上から３段目の縦軸は、室内温度センサ１０による室内温度の測定値を示す。
【００４２】
時刻ｔ０において、ショーケース温度センサ４２によるショーケースの棚部の温度の測定値は、予め定められる棚部基準温度（庫内の基準温度）を示す。時刻ｔ０において、温度制御部８６１は、予め定められる室内基準温度（設定値）を示す室内温度制御信号を、空調制御装置２０に送信する。室内基準温度は、例えば、摂氏２５度である。時刻ｔ０〜時刻ｔ３において、温度制御部８６１は、室内の温度の目標値（設定値）を室内基準温度から変更しないので、室内温度制御信号を空調制御装置２０に送信しない。時刻ｔ０において、室内温度センサ１０による室内の温度の測定値は、室内基準温度を示す。
【００４３】
時刻ｔ１において、ショーケース温度センサ４２によるショーケースの棚部の温度の測定値は、棚部基準温度を示す。時刻ｔ１において、室内温度センサ１０による室内の温度の測定値は、室内基準温度を示す。
【００４４】
時刻ｔ２において、ショーケース温度センサ４２によるショーケースの棚部の温度の測定値は、棚部基準温度以上かつ予め定められる上限の温度以下を示す。予め定められる上限の温度は、例えば、棚部基準温度よりも摂氏２度高い温度である。時刻ｔ２において、ショーケース４０の除霜が終了する。時刻ｔ２において、室内温度センサ１０による室内の温度の測定値は、室内基準温度よりも高い温度Ｔ０を示す。
【００４５】
時刻ｔ３において、ショーケース温度センサ４２によるショーケースの棚部の温度の測定値は、棚部基準温度を示す。時刻ｔ３において、室内温度センサ１０による室内の温度の測定値は、室内基準温度を示す。
【００４６】
図４は、機器群を連係させた場合での消費電力の変化の第１例を示す図である。横軸は時刻を示す。上から１段目の縦軸は、室外機４３の消費電力を示す。上から２段目の縦軸は、空調機器３０の消費電力を示す。上から３段目の縦軸は、空調機器３０の運転の起動（オン）及び停止（オフ）を示す。上から４段目の縦軸は、室内照明機器７０の消費電力を示す。上から５段目の縦軸は、ショーケース照明機器４１の消費電力を示す。上から６段目の縦軸は、制御システム１ａの機器群の消費電力の合計値を示す。
【００４７】
時刻ｔ０において、電力制御部８６０は、室外機基準電力で室外機４３を動作させる。時刻ｔ０において、電力制御部８６０は、空調機器基準電力で空調機器３０を動作させる。時刻ｔ０〜時刻ｔ１において、電力制御部８６０は、空調機器３０の消費電力を上昇させる。これによって、ショーケース４０の除霜を開始する前における室内の温度は低下する。時刻ｔ０〜時刻ｔ２において、電力制御部８６０は、空調機器３０の運転をオン状態に維持する。時刻ｔ０〜時刻ｔ３において、電力制御部８６０は、室内照明機器基準電力で室内照明機器７０を動作させる。時刻ｔ０〜時刻ｔ３において、電力制御部８６０は、ショーケース照明機器基準電力でショーケース照明機器４１を動作させる。したがって、時刻ｔ０において、機器群の消費電力の合計は、室外機基準電力と空調機器基準電力と室内照明機器基準電力とショーケース照明機器基準電力との合計となる。
【００４８】
時刻ｔ１において、電力制御部８６０は、ショーケース４０の除霜を開始する。時刻ｔ１において、電力制御部８６０は、室外機基準電力以上かつ室外機４３の定格電力以下の消費電力で、室外機４３を動作させる。時刻ｔ１において、電力制御部８６０は、空調機器基準電力以上かつ空調機器３０の定格電力以下の消費電力で、空調機器３０を動作させる。したがって、時刻ｔ１における機器群の消費電力の合計は、時刻ｔ１における室外機基準電力と空調機器基準電力と室内照明機器基準電力とショーケース照明機器基準電力との合計よりも高い電力となる。すなわち、時刻ｔ１における機器群の消費電力の合計は、時刻ｔ１における室外機４３の消費電力と空調機器３０の消費電力と室内照明機器７０の消費電力とショーケース照明機器４１の消費電力との合計となる。
【００４９】
時刻ｔ２において、電力制御部８６０は、ショーケース４０の除霜を終了する。時刻ｔ２において、電力制御部８６０は、室外機４３の定格電力で室外機４３を動作させる。時刻ｔ２において、電力制御部８６０は、空調機器基準電力よりも低い電力で空調機器３０を動作させる。したがって、時刻ｔ２における機器群の消費電力の合計は、時刻ｔ２における室外機４３の消費電力と空調機器３０の消費電力と室内照明機器７０の消費電力とショーケース照明機器４１の消費電力との合計となる。図４の上から６段目の実線に示されているように、時刻ｔ２では、空調機器３０の消費電力が空調機器基準電力よりも低いので、機器群の消費電力の合計にピークは発生しない。
【００５０】
時刻ｔ２〜時刻ｔ３において、電力制御部８６０は、室外機４３の消費電力を室外機基準電力まで低下させる。時刻ｔ２〜時刻ｔ３において、電力制御部８６０は、空調機器３０の消費電力を空調機基準電力まで上昇させる。時刻ｔ３において、電力制御部８６０は、室外機基準電力で室外機４３を動作させる。したがって、時刻ｔ３における機器群の消費電力の合計は、時刻ｔ３における室外機基準電力と空調機器基準電力と室内照明機器基準電力とショーケース照明機器基準電力との合計となる。
【００５１】
時刻ｔ２〜時刻ｔ３において、電力制御部８６０は、空調機器３０の運転を停止させてもよい。すなわち、時刻ｔ２において、電力制御部８６０は、空調機器３０の運転をオフ状態にしてもよい。図４では、実線は、電力制御部８６０が空調機器３０の運転を停止させない場合のグラフを示す。図４では、破線は、電力制御部８６０が空調機器３０の運転を停止させた場合のグラフを示す。時刻ｔ２〜時刻ｔ３において、電力制御部８６０が空調機器３０の運転を停止させた場合、時刻ｔ２〜時刻ｔ３における空調機器３０の消費電力は０となる。図４の上から６段目の破線に示されているように、時刻ｔ２における空調機器３０の消費電力が空調機器基準電力よりも低いので、時刻ｔ２では機器群の消費電力の合計にピークは発生しない。
【００５２】
図５は、機器群を連係させた場合での温度の変化の第１例を示す図である。横軸は時刻を示す。上から１段目の縦軸は、ショーケース温度センサ４２によるショーケースの棚部の温度の測定値（庫内温度の測定値）を示す。上から２段目の縦軸は、空調機器３０に対して指示される室内温度の目標値を示す。上から３段目の縦軸は、室内温度センサ１０による室内温度の測定値を示す。
【００５３】
時刻ｔ０において、ショーケース温度センサ４２によるショーケースの棚部の温度の測定値は、棚部基準温度（庫内の基準温度）を示す。時刻ｔ０において、温度制御部８６１は、室内基準温度よりも低い温度（設定値）を示す室内温度制御信号を、空調制御装置２０に送信する。これによって、ショーケース４０の除霜を開始する前における室内の温度は低下する。時刻ｔ０において、室内温度センサ１０による室内の温度の測定値は、室内基準温度を示す。
【００５４】
時刻ｔ１では、室外機４３は、ショーケース４０の除霜を開始する。時刻ｔ１において、ショーケース温度センサ４２によるショーケースの棚部の温度の測定値は、棚部基準温度を示す。時刻ｔ１において、温度制御部８６１は、室内基準温度（設定値）を示す室内温度制御信号を、空調制御装置２０に送信する。時刻ｔ１において、室内温度センサ１０による室内の温度の測定値は、室内基準温度よりも低い温度を示す。
【００５５】
時刻ｔ２では、室外機４３は、ショーケース４０の除霜を終了する。時刻ｔ２において、ショーケース温度センサ４２によるショーケースの棚部の温度の測定値は、棚部基準温度以上かつ予め定められる上限の温度以下を示す。時刻ｔ２において、ショーケース４０の除霜が終了する。時刻ｔ２において、温度制御部８６１は、室内基準温度（設定値）を示す室内温度制御信号を、空調制御装置２０に送信してもよい。時刻ｔ２において、室内温度センサ１０による室内の温度の測定値は、室内基準温度以上かつ温度Ｔ０以下を示す。時刻ｔ２において、室内の温度の測定値が温度Ｔ０以下を示す理由は、時刻ｔ１において、室内の温度が室内基準温度よりも低いためである。
【００５６】
時刻ｔ２〜時刻ｔ３において、室外機４３は、ショーケース４０の棚部の温度を予め定められる温度まで戻す。すなわち、時刻ｔ３において、ショーケース温度センサ４２によるショーケースの棚部の温度の測定値は、棚部基準温度を示す。時刻ｔ３において、温度制御部８６１は、室内基準温度（設定値）を示す室内温度制御信号を、空調制御装置２０に送信してもよい。時刻ｔ３において、室内温度センサ１０による室内の温度の測定値は、室内基準温度を示す。
【００５７】
図５では、実線は、時刻ｔ２〜時刻ｔ３において電力制御部８６０が空調機器３０の運転を停止させない場合のグラフを示す。図５では、破線は、時刻ｔ２〜時刻ｔ３において電力制御部８６０が空調機器３０の運転を停止させた場合のグラフを示す。室内の温度の測定値は、時刻ｔ２〜時刻ｔ３において電力制御部８６０が空調機器３０の運転を停止させた場合、電力制御部８６０が空調機器３０の運転を停止させない場合と比較して高くなる。
【００５８】
以上のように、第１の実施形態の制御装置８０ａは、温度制御部８６１と、電力制御部８６０とを持つ。温度制御部８６１は、ショーケース４０の除霜を開始する場合、ショーケース４０が設置される室内の温度を空調機器３０によって低下させる。電力制御部８６０は、ショーケース４０の除霜の終了後にショーケース４０の棚部の温度を予め定められる温度まで戻す場合、ショーケース４０の消費電力に応じて空調機器３０の運転を制御して空調機器３０の消費電力を変化させる。ショーケース４０の消費電力とは、例えば、室外機４３の消費電力である。制御装置８０ａは、例えば、ショーケース４０の除霜を開始する前からショーケース４０の除霜が終了するまでに、室内の温度を空調機器３０によって低下させる。制御装置８０ａは、例えば、ショーケース４０の除霜を開始した後からショーケース４０の除霜が終了するまでに、室内の温度を空調機器３０によって低下させる。
【００５９】
これによって、第１の実施形態の制御装置８０ａは、消費電力のピークを低く抑えてもショーケース４０の棚部の温度の変動を抑えることができる。
【００６０】
第１の実施形態の温度制御部８６１（室内温度制御部）は、ショーケース４０の除霜を開始する場合、ショーケース４０が設置される室内の温度を、ショーケース４０の除霜が終了するまでに空調機器３０によって低下させる。これによって、第１の実施形態の温度制御部８６１は、消費電力のピークを低く抑えてもショーケース４０の棚部の温度の変動を抑えることができる。
【００６１】
第１の実施形態の電力制御部８６０は、ショーケース４０の除霜の終了後にショーケース４０の棚部の温度を予め定められる温度まで戻す場合、ショーケース４０が設置される室内の温度を調整する空調機器３０の運転を制御して空調機器３０の消費電力を変化させる。これによって、第１の実施形態の電力制御部８６０は、消費電力のピークを低く抑えてもショーケース４０の棚部の温度の変動を抑えることができる。
【００６２】
なお、ショーケース制御装置５０は、室外機４３の冷凍機としての機能をショーケース４０の内部に備える冷凍機内蔵型のショーケースを、室外機４３を制御する代わりに制御してもよい。また、制御装置８０ａは、空調機器３０、ショーケース４０、室内照明機器７０、室内温度センサ１０及びショーケース温度センサ４２から、通信部８１によって各種情報を取得してもよい。各種情報とは、例えば、図４又は図５に示す各機器の動作状況や消費電力の変化を示す情報である。表示部８４は、各種情報を表示することによって、ユーザにとっての視認性及び操作性を向上させることができる。また、ユーザは、異なる機器に関するグラフを表示部８４が時刻を揃えて表示することによって、各機器の動作タイミングをより適切に認識することができる。
【００６３】
図６は、機器群を連係させた場合での消費電力の変化の第２例を示す図である。横軸は時刻を示す。上から１段目の縦軸は、室外機４３の消費電力を示す。上から２段目の縦軸は、空調機器３０の消費電力を示す。上から３段目の縦軸は、空調機器３０の運転の起動（オン）及び停止（オフ）を示す。上から４段目の縦軸は、室内照明機器７０の消費電力を示す。ショーケース４０は、発熱することによってショーケース４０を除霜するためのヒータ（以下、「ショーケースヒータ」という。）を備えてもよい。上から５段目の縦軸は、ショーケースヒータの消費電力を示す。ショーケースヒータは、ショーケース制御装置５０によって運転が制御される。上から６段目の縦軸は、ショーケース照明機器４１の消費電力を示す。上から７段目の縦軸は、制御システム１ａの機器群の消費電力の合計値を示す。
【００６４】
時刻ｔ０において、電力制御部８６０は、室外機基準電力で室外機４３を動作させる。時刻ｔ０において、電力制御部８６０は、空調機器基準電力で空調機器３０を動作させる。時刻ｔ０〜時刻ｔ１において、電力制御部８６０は、空調機器３０の消費電力を上昇させる。これによって、ショーケース４０の除霜を開始する前における室内の温度は低下する。時刻ｔ０〜時刻ｔ２において、電力制御部８６０は、空調機器３０の運転をオン状態に維持する。時刻ｔ０〜時刻ｔ３において、電力制御部８６０は、室内照明機器基準電力で室内照明機器７０を動作させる。時刻ｔ０〜時刻ｔ３において、電力制御部８６０は、ショーケースヒータの運転を停止させる。したがって、時刻ｔ０〜時刻ｔ３において、ショーケースヒータの消費電力は０である。時刻ｔ０〜時刻ｔ３において、電力制御部８６０は、ショーケース照明機器基準電力でショーケース照明機器４１を動作させる。したがって、時刻ｔ０において、機器群の消費電力の合計は、室外機基準電力と空調機器基準電力と室内照明機器基準電力とショーケース照明機器基準電力との合計となる。
【００６５】
時刻ｔ１において、電力制御部８６０は、ショーケース４０の除霜を開始する。時刻ｔ１〜ｔ２において、電力制御部８６０は、室外機４３の運転を停止させる。したがって、時刻ｔ１〜ｔ２において、室外機４３の消費電力は０である。これによって、ショーケース４０では自然に温度が上昇するので、ショーケース４０の除霜が開始される。時刻ｔ１において、電力制御部８６０は、空調機器基準電力以上かつ空調機器３０の定格電力以下の消費電力で、空調機器３０を動作させる。したがって、時刻ｔ１における機器群の消費電力の合計は、時刻ｔ１における室外機基準電力と空調機器基準電力と室内照明機器基準電力とショーケース照明機器基準電力との合計よりも低い電力となる。すなわち、時刻ｔ１における機器群の消費電力の合計は、時刻ｔ１における空調機器３０の消費電力と室内照明機器７０の消費電力とショーケース照明機器４１の消費電力との合計となる。
【００６６】
時刻ｔ２において、電力制御部８６０は、ショーケース４０の除霜を終了する。時刻ｔ２において、電力制御部８６０は、室外機４３の定格電力で室外機４３を動作させる。時刻ｔ２において、電力制御部８６０は、空調機器基準電力よりも低い電力で空調機器３０を動作させる。したがって、時刻ｔ２における機器群の消費電力の合計は、時刻ｔ２における室外機４３の消費電力と空調機器３０の消費電力と室内照明機器７０の消費電力とショーケース照明機器４１の消費電力との合計となる。図６の上から７段目の実線に示されているように、時刻ｔ２では、空調機器３０の消費電力が空調機器基準電力よりも低いので、機器群の消費電力の合計にピークは発生しない。
【００６７】
時刻ｔ２〜時刻ｔ３において、電力制御部８６０は、室外機４３の消費電力を室外機基準電力まで低下させる。時刻ｔ２〜時刻ｔ３において、電力制御部８６０は、空調機器３０の消費電力を空調機基準電力まで上昇させる。時刻ｔ３において、電力制御部８６０は、室外機基準電力で室外機４３を動作させる。したがって、時刻ｔ３における機器群の消費電力の合計は、時刻ｔ３における室外機基準電力と空調機器基準電力と室内照明機器基準電力とショーケース照明機器基準電力との合計となる。
【００６８】
時刻ｔ２〜時刻ｔ３において、電力制御部８６０は、空調機器３０の運転を停止させてもよい。すなわち、時刻ｔ２において、電力制御部８６０は、空調機器３０の運転をオフ状態にしてもよい。図６では、実線は、電力制御部８６０が空調機器３０の運転を停止させない場合のグラフを示す。図６では、破線は、電力制御部８６０が空調機器３０の運転を停止させた場合のグラフを示す。時刻ｔ２〜時刻ｔ３において、電力制御部８６０が空調機器３０の運転を停止させた場合、時刻ｔ２〜時刻ｔ３における空調機器３０の消費電力は０となる。図６の上から７段目の破線に示されているように、時刻ｔ２における空調機器３０の消費電力が空調機器基準電力よりも低いので、時刻ｔ２では機器群の消費電力の合計にピークは発生しない。
【００６９】
図７は、機器群を連係させた場合での消費電力の変化の第３例を示す図である。横軸は時刻を示す。上から１段目の縦軸は、室外機４３の消費電力を示す。上から２段目の縦軸は、空調機器３０の消費電力を示す。上から３段目の縦軸は、空調機器３０の運転の起動（オン）及び停止（オフ）を示す。上から４段目の縦軸は、室内照明機器７０の消費電力を示す。上から５段目の縦軸は、ショーケースヒータの消費電力を示す。上から６段目の縦軸は、ショーケース照明機器４１の消費電力を示す。上から７段目の縦軸は、制御システム１ａの機器群の消費電力の合計値を示す。
【００７０】
時刻ｔ０において、電力制御部８６０は、室外機基準電力で室外機４３を動作させる。時刻ｔ０において、電力制御部８６０は、空調機器基準電力で空調機器３０を動作させる。時刻ｔ０〜時刻ｔ１において、電力制御部８６０は、空調機器３０の消費電力を上昇させる。これによって、ショーケース４０の除霜を開始する前における室内の温度は低下する。時刻ｔ０〜時刻ｔ２において、電力制御部８６０は、空調機器３０の運転をオン状態に維持する。時刻ｔ０〜時刻ｔ３において、電力制御部８６０は、室内照明機器基準電力で室内照明機器７０を動作させる。時刻ｔ０において、電力制御部８６０は、ショーケースヒータの運転を停止させる。したがって、時刻ｔ０において、ショーケースヒータの消費電力は０である。時刻ｔ０〜時刻ｔ３において、電力制御部８６０は、ショーケース照明機器基準電力でショーケース照明機器４１を動作させる。したがって、時刻ｔ０において、機器群の消費電力の合計は、室外機基準電力と空調機器基準電力と室内照明機器基準電力とショーケース照明機器基準電力との合計となる。
【００７１】
時刻ｔ１において、電力制御部８６０は、ショーケース４０の除霜を開始する。時刻ｔ１〜ｔ２において、電力制御部８６０は、室外機４３の運転を停止させる。したがって、時刻ｔ１〜ｔ２において、室外機４３の消費電力は０である。時刻ｔ１において、電力制御部８６０は、空調機器基準電力以上かつ空調機器３０の定格電力以下の消費電力で、空調機器３０を動作させる。時刻ｔ１において、電力制御部８６０は、予め定められるショーケースヒータ基準電力で、ショーケースヒータを動作させる。これによって、ショーケース４０ではショーケースヒータの熱によって温度が上昇するので、ショーケース４０の除霜が開始される。したがって、時刻ｔ１における機器群の消費電力の合計は、時刻ｔ１における室外機基準電力と空調機器基準電力と室内照明機器基準電力とショーケースヒータ基準電力とショーケース照明機器基準電力との合計よりも低い電力となる。すなわち、時刻ｔ１における機器群の消費電力の合計は、時刻ｔ１における空調機器３０の消費電力と室内照明機器７０の消費電力とショーケースヒータの消費電力とショーケース照明機器４１の消費電力との合計となる。
【００７２】
時刻ｔ２において、電力制御部８６０は、ショーケース４０の除霜を終了する。時刻ｔ２において、電力制御部８６０は、室外機４３の定格電力で室外機４３を動作させる。時刻ｔ２において、電力制御部８６０は、空調機器基準電力よりも低い電力で空調機器３０を動作させる。時刻ｔ２において、電力制御部８６０は、ショーケースヒータの運転を停止させる。したがって、時刻ｔ２における機器群の消費電力の合計は、時刻ｔ２における室外機４３の消費電力と空調機器３０の消費電力と室内照明機器７０の消費電力とショーケース照明機器４１の消費電力との合計となる。図７の上から７段目の実線に示されているように、時刻ｔ２では、空調機器３０の消費電力が空調機器基準電力よりも低いので、機器群の消費電力の合計にピークは発生しない。
【００７３】
時刻ｔ２〜時刻ｔ３において、電力制御部８６０は、室外機４３の消費電力を室外機基準電力まで低下させる。時刻ｔ２〜時刻ｔ３において、電力制御部８６０は、空調機器３０の消費電力を空調機基準電力まで上昇させる。時刻ｔ３において、電力制御部８６０は、室外機基準電力で室外機４３を動作させる。したがって、時刻ｔ３における機器群の消費電力の合計は、時刻ｔ３における室外機基準電力と空調機器基準電力と室内照明機器基準電力とショーケース照明機器基準電力との合計となる。
【００７４】
時刻ｔ２〜時刻ｔ３において、電力制御部８６０は、空調機器３０の運転を停止させてもよい。すなわち、時刻ｔ２において、電力制御部８６０は、空調機器３０の運転をオフ状態にしてもよい。図７では、実線は、電力制御部８６０が空調機器３０の運転を停止させない場合のグラフを示す。図７では、破線は、電力制御部８６０が空調機器３０の運転を停止させた場合のグラフを示す。時刻ｔ２〜時刻ｔ３において、電力制御部８６０が空調機器３０の運転を停止させた場合、時刻ｔ２〜時刻ｔ３における空調機器３０の消費電力は０となる。図７の上から７段目の破線に示されているように、時刻ｔ２における空調機器３０の消費電力が空調機器基準電力よりも低いので、時刻ｔ２では機器群の消費電力の合計にピークは発生しない。
【００７５】
（第２の実施形態）
第２の実施形態では、制御部８６ｂがショーケース照明機器４１の消費電力と室内照明機器７０の消費電力とを制御する点が、第１の実施形態と相違する。第２の実施形態では、第１の実施形態との相違点についてのみ説明する。
【００７６】
図８は、制御システム１ｂの構成の第２例を示す図である。制御システム１ｂは、室内温度センサ１０と、空調制御装置２０と、空調機器３０と、ショーケース４０と、ショーケース制御装置５０と、照明制御装置６０と、室内照明機器７０と、制御装置８０ｂとを備える。
【００７７】
制御装置８０ｂは、情報処理装置である。制御装置８０ｂは、空調機器３０とショーケース照明機器４１と室外機４３と室内照明機器７０とを、制御信号によって連係させる。これによって、制御装置８０ｂは、機器群の消費電力のピークを低く抑えてもショーケース４０の棚部の温度の変動を抑えることができる。
【００７８】
制御装置８０ｂは、通信部８１と、記憶部８２と、操作部８３と、表示部８４と、タイマ８５と、制御部８６ｂとを備える。制御部８６ｂは、電力制御部８６０と、温度制御部８６１と、照度制御部８６２とを備える。
【００７９】
通信部８１は、制御部８６ｂによる制御に基づいて、空調制御装置２０とショーケース制御装置５０と照明制御装置６０とに制御信号を送信する。通信部８１は、ショーケース照明機器４１の運転を制御してショーケース照明機器４１の消費電力を変化させるための信号（以下、「ショーケース照明電力制御信号」という。）を、電力制御部８６０による制御に基づいてショーケース制御装置５０に送信する。通信部８１は、室内照明機器７０の運転を制御して室内照明機器７０の消費電力を変化させるための信号（以下、「室内照明電力制御信号」という。）を、電力制御部８６０による制御に基づいて照明制御装置６０に送信してもよい。
【００８０】
通信部８１は、ショーケース照明機器４１が照射する光の量を制御してショーケース４０の棚部の照度を変化させるための信号（以下、「ショーケース照明照度制御信号」という。）を、照度制御部８６２による制御に基づいてショーケース制御装置５０に送信する。通信部８１は、室内照明機器７０が照射する光の量を制御して室内の照度を変化させるための信号（以下、「室内照明照度制御信号」という。）を、照度制御部８６２による制御に基づいて照明制御装置６０に送信する。
【００８１】
ショーケース照明機器４１は、ショーケース照明照度制御信号に基づいて、ショーケース４０の棚部の照度を変更する。ショーケース照明機器４１は、ショーケース照明電力制御信号に基づいて、ショーケース４０の棚部の照度を変更してもよい。
【００８２】
室内照明機器７０は、室内照明照度制御信号に基づいて、室内の照度を変更する。室内照明機器７０は、室内照明電力制御信号に基づいて、室内の照度を変更してもよい。
【００８３】
電力制御部８６０は、トリガー信号を取得した場合、通信部８１を介して、ショーケース照明運転制御信号とショーケース照明電力制御信号とをショーケース制御装置５０に送信する。電力制御部８６０は、トリガー信号を取得した場合、通信部８１を介して、室内照明運転制御信号と室内照明電力制御信号とを照明制御装置６０に送信する。
【００８４】
照度制御部８６２は、トリガー信号をタイマ８５から取得する。照度制御部８６２は、トリガー信号を取得した場合、通信部８１を介して、ショーケース照明照度制御信号をショーケース制御装置５０に送信する。照度制御部８６２は、トリガー信号を取得した場合、通信部８１を介して、室内照明照度制御信号を照明制御装置６０に送信する。
【００８５】
例えば、照度制御部８６２は、ショーケース４０の除霜の終了後にショーケース４０の温度を予め定められる温度まで戻す場合、ショーケース４０の消費電力に応じてショーケース照明機器４１が照射する光の量を制御する。ショーケース照明機器４１の消費電力は、ショーケース照明機器４１が照射する光の量に応じて変化する。例えば、照度制御部８６２は、ショーケース４０の除霜の終了後にショーケース４０の温度を予め定められる温度まで戻す場合、ショーケース４０の消費電力に応じて室内照明機器７０が照射する光の量を制御してもよい。室内照明機器７０の消費電力は、室内照明機器７０が照射する光の量に応じて変化する。
【００８６】
照度制御部８６２は、トリガー信号を取得しない場合でも、ショーケース４０の棚部の温度が一定範囲を超えた場合には、室内に居る人にショーケース４０の棚部の温度の変動を感じさせないようにするために、ショーケース照明照度制御信号をショーケース制御装置５０に送信してもよい。照度制御部８６２は、トリガー信号を取得しない場合でも、室内の温度が一定範囲を超えた場合には、室内に居る人に室内の温度の変動を感じさせないようにするために、室内照明照度制御信号を照明制御装置６０に送信してもよい。
【００８７】
図９は、機器群を連係させた場合での消費電力の変化の第４例を示す図である。横軸は時刻を示す。上から１段目の縦軸は、室外機４３の消費電力を示す。上から２段目の縦軸は、空調機器３０の消費電力を示す。上から３段目の縦軸は、空調機器３０の運転の起動（オン）及び停止（オフ）を示す。上から４段目の縦軸は、室内照明機器７０の消費電力を示す。上から５段目の縦軸は、ショーケース照明機器４１の消費電力を示す。上から６段目の縦軸は、制御システム１ｂの機器群の消費電力の合計値を示す。
【００８８】
時刻ｔ０において、電力制御部８６０は、室外機基準電力で室外機４３を動作させる。時刻ｔ０〜時刻ｔ３において、電力制御部８６０は、空調機器基準電力で空調機器３０を動作させる。時刻ｔ０〜時刻ｔ３において、電力制御部８６０は、空調機器３０の運転をオン状態に維持する。時刻ｔ０において、電力制御部８６０は、室内照明電力制御信号によって、室内照明機器基準電力で室内照明機器７０を動作させる。時刻ｔ０において、照度制御部８６２は、室内照明照度制御信号により照度を制御することによって、室内照明機器基準電力で室内照明機器７０を動作させてもよい。
【００８９】
時刻ｔ０において、電力制御部８６０は、ショーケース照明電力制御信号によって、ショーケース照明機器基準電力でショーケース照明機器４１を動作させる。時刻ｔ０において、照度制御部８６２は、ショーケース照明照度制御信号により照度を制御することによって、ショーケース照明機器基準電力でショーケース照明機器４１を動作させてもよい。したがって、時刻ｔ０において、機器群の消費電力の合計は、室外機基準電力と空調機器基準電力と室内照明機器基準電力とショーケース照明機器基準電力との合計となる。
【００９０】
時刻ｔ１において、電力制御部８６０は、ショーケース４０の除霜を開始する。時刻ｔ１において、電力制御部８６０は、室外機基準電力以上かつ室外機４３の定格電力以下の消費電力で、室外機４３を動作させる。時刻ｔ１において、電力制御部８６０は、空調機器基準電力で空調機器３０を動作させる。時刻ｔ１において、電力制御部８６０は、室内照明電力制御信号によって、室内照明機器基準電力で室内照明機器７０を動作させる。時刻ｔ１において、照度制御部８６２は、室内照明照度制御信号により照度を制御することによって、室内照明機器基準電力で室内照明機器７０を動作させてもよい。
【００９１】
時刻ｔ１において、電力制御部８６０は、ショーケース照明電力制御信号によって、ショーケース照明機器基準電力でショーケース照明機器４１を動作させる。時刻ｔ１において、照度制御部８６２は、ショーケース照明照度制御信号により照度を制御することによって、ショーケース照明機器基準電力でショーケース照明機器４１を動作させてもよい。したがって、時刻ｔ１において、機器群の消費電力の合計は、室外機基準電力と空調機器基準電力と室内照明機器基準電力とショーケース照明機器基準電力との合計よりも高い電力となる。すなわち、時刻ｔ１における機器群の消費電力の合計は、時刻ｔ１における室外機４３の消費電力と空調機器３０の消費電力と室内照明機器７０の消費電力とショーケース照明機器４１の消費電力との合計となる。
【００９２】
時刻ｔ２において、電力制御部８６０は、ショーケース４０の除霜を終了する。時刻ｔ２において、電力制御部８６０は、室外機４３の定格電力で室外機４３を動作させる。時刻ｔ２において、電力制御部８６０は、空調機器基準電力で空調機器３０を動作させる。時刻ｔ２において、電力制御部８６０は、室内照明機器基準電力で室内照明機器７０を動作させる。
【００９３】
時刻ｔ２において、電力制御部８６０は、室内照明電力制御信号によって、室内照明機器基準電力よりも低い電力で室内照明機器７０を動作させる。時刻ｔ２において、照度制御部８６２は、室内照明照度制御信号により照度を制御することによって、室内照明機器基準電力よりも低い電力で室内照明機器７０を動作させてもよい。
【００９４】
時刻ｔ２において、電力制御部８６０は、ショーケース照明電力制御信号によって、ショーケース照明機器基準電力よりも低い電力でショーケース照明機器４１を動作させる。時刻ｔ２において、照度制御部８６２は、ショーケース照明照度制御信号により照度を制御することによって、ショーケース照明機器基準電力よりも低い電力でショーケース照明機器４１を動作させてもよい。
【００９５】
したがって、時刻ｔ２において、機器群の消費電力の合計は、時刻ｔ２における室外機４３の消費電力と空調機器３０の消費電力と室内照明機器７０の消費電力とショーケース照明機器４１の消費電力との合計となる。図９の上から６段目の実線に示されているように、時刻ｔ２では、室内照明機器７０の消費電力が室内照明機器基準電力よりも低く、ショーケース照明機器４１の消費電力がショーケース照明機器基準電力よりも低いので、機器群の消費電力の合計にピークは発生しない。
【００９６】
時刻ｔ２〜時刻ｔ３において、電力制御部８６０は、室外機４３の消費電力を低下させる。時刻ｔ３において、電力制御部８６０は、室外機基準電力で室外機４３を動作させる。時刻ｔ２〜時刻ｔ３において、電力制御部８６０は、室内照明機器７０の消費電力を上昇させる。時刻ｔ２において、電力制御部８６０は、室内照明電力制御信号によって、室内照明機器基準電力で室内照明機器７０を動作させる。時刻ｔ２において、照度制御部８６２は、室内照明照度制御信号により照度を制御することによって、室内照明機器基準電力で室内照明機器７０を動作させてもよい。
【００９７】
時刻ｔ２〜時刻ｔ３において、電力制御部８６０は、ショーケース照明機器４１の消費電力を上昇させる。時刻ｔ３において、電力制御部８６０は、ショーケース照明電力制御信号によって、ショーケース照明機器基準電力でショーケース照明機器４１を動作させる。時刻ｔ３において、照度制御部８６２は、ショーケース照明照度制御信号により照度を制御することによって、ショーケース照明機器基準電力でショーケース照明機器４１を動作させてもよい。したがって、時刻ｔ３において、機器群の消費電力の合計は、室外機基準電力と空調機器基準電力と室内照明機器基準電力とショーケース照明機器基準電力との合計となる。
【００９８】
以上のように、第２の実施形態の制御装置８０ｂは、照度制御部８６２を更に持つ。照度制御部８６２は、ショーケース４０の除霜の終了後にショーケース４０の温度を予め定められる温度まで戻す場合、ショーケース４０の消費電力に応じてショーケース照明機器４１が照射する光の量を制御する。照度制御部８６２は、ショーケース４０の除霜の終了後にショーケース４０の温度を予め定められる温度まで戻す場合、ショーケース４０の消費電力に応じて室内照明機器７０が照射する光の量を制御してもよい。
【００９９】
これによって、第２の実施形態の制御装置８０ｂは、消費電力のピークを低く抑えてもショーケース４０の棚部の温度の変動を抑えることができる。
【０１００】
（第３の実施形態）
第３の実施形態では、制御部８６ｃがショーケース照明機器４１の可視光の波長と室内照明機器７０の可視光の波長とを制御する点と、制御システム１ｃが周囲温度センサ９０を備える点とが、第２の実施形態と相違する。第３の実施形態では、第２の実施形態との相違点についてのみ説明する。
【０１０１】
図１０は、制御システム１ｃの構成の例を示す図である。制御システム１ｃは、室内温度センサ１０と、空調制御装置２０と、空調機器３０と、ショーケース４０と、ショーケース制御装置５０と、照明制御装置６０と、室内照明機器７０と、制御装置８０ｃとを備える。
【０１０２】
制御システム１ｃは、周囲温度センサ９０を更に備える。周囲温度センサ９０は、ショーケース４０の周囲（付近）の温度を測定する。周囲温度センサ９０は、ショーケース４０の周囲の温度を示す情報を、制御装置８０ｃに送信する。
【０１０３】
制御装置８０ｃは、情報処理装置である。制御装置８０ｃは、空調機器３０とショーケース照明機器４１と室外機４３と室内照明機器７０とを、制御信号によって連係させる。これによって、制御装置８０ｃは、機器群の消費電力のピークを低く抑えてもショーケース４０の棚部の温度の変動を抑えることができる。制御装置８０ｃは、室内に居る人が感じる室内温度の変動を抑えることができる。
【０１０４】
制御装置８０ｃは、通信部８１と、記憶部８２と、操作部８３と、表示部８４と、タイマ８５と、制御部８６ｃとを備える。制御部８６ｃは、電力制御部８６０と、温度制御部８６１と、照度制御部８６２と、波長制御部８６３とを備える。
【０１０５】
通信部８１は、ショーケース４０の周囲の温度を示す情報を、周囲温度センサ９０から取得する。通信部８１は、制御部８６ｂによる制御に基づいて、空調制御装置２０とショーケース制御装置５０と照明制御装置６０とに制御信号を送信する。制御信号は、例えば、ショーケース照明機器４１が照射する可視光の波長を変化させるための信号（以下、「ショーケース照明波長制御信号」という。）である。制御信号は、例えば、室内照明機器７０が室内に照射する可視光の波長を変化させるための信号（以下、「室内照明波長制御信号」という。）を含む。
【０１０６】
ショーケース照明機器４１は、ショーケース４０の棚部に照射する可視光の波長を、ショーケース照明波長制御信号に基づいて変更（調光）する。可視光は、波長が長いほど、人が暖かい色であると感じる赤色の可視光となる。すなわち、可視光は、波長が短いほど、人が冷たい色であると感じる紫色の可視光となる。可視光の波長は、色温度によって表現されてもよい。人は、色温度が高い色ほど、冷たい色であると感じる。すなわち、人は、色温度が低い色ほど、暖かい色であると感じる。以下では、ショーケース照明機器４１及び室内照明機器７０は、可視光の波長を制御する例として、可視光の色温度を変化させる。
【０１０７】
ショーケース制御装置５０は、ショーケース照明運転制御信号とショーケース照明電力制御信号とに基づいて、ショーケース照明機器４１の運転を制御してショーケース照明機器４１の消費電力を変化させる。ショーケース制御装置５０は、ショーケース照明波長制御信号に基づいて、ショーケース照明機器４１の可視光の色温度を変化させる。すなわち、ショーケース制御装置５０は、ショーケース４０の棚部に照射する可視光の色温度を、ショーケース照明波長制御信号に基づいて変更（調光）する。
【０１０８】
照明制御装置６０は、室内照明運転制御信号と室内照明電力制御信号とに基づいて、室内照明機器７０の運転を制御して室内照明機器７０の消費電力を変化させる。照明制御装置６０は、室内照明波長制御信号に基づいて、室内照明機器７０の可視光の色温度を変化させる。すなわち、室内照明機器７０は、室内に照射する可視光の色温度を、室内照明波長制御信号に基づいて変更（調光）する。
【０１０９】
波長制御部８６３は、トリガー信号をタイマ８５から取得する。波長制御部８６３は、トリガー信号を取得した場合、通信部８１を介して、ショーケース照明波長制御信号をショーケース制御装置５０に送信する。波長制御部８６３は、トリガー信号を取得した場合、通信部８１を介して、室内照明波長制御信号を照明制御装置６０に送信する。例えば、波長制御部８６３は、ショーケース４０又は室内の温度に応じて、ショーケース照明機器４１の光の波長を変化させる。例えば、波長制御部８６３は、ショーケース４０又は室内の温度に応じて、室内照明機器７０の光の色温度を変化させる。
【０１１０】
波長制御部８６３は、ショーケース４０の除霜を開始するタイミングでトリガー信号を取得した場合、ショーケース照明機器４１の可視光の色温度を低くするためのショーケース照明波長制御信号を、ショーケース制御装置５０に送信する。これによって、波長制御部８６３は、ショーケース４０の棚部の温度が上昇したとしても、冷たい色を人に見せることができる。このように、波長制御部８６３は、ショーケース照明機器４１の可視光の色温度を制御することによって、人に不快感を与えないようにすることができる。
【０１１１】
波長制御部８６３は、ショーケース４０の除霜を開始するタイミングでトリガー信号を取得した場合、室内照明機器７０の可視光の色温度を高くするための室内照明波長制御信号を、照明制御装置６０に送信する。これによって、波長制御部８６３は、室内の温度が上昇したとしても、冷たい色を人に見せることができる。このように、波長制御部８６３は、室内照明機器７０の可視光の色温度を制御することによって、人に不快感を与えないようにすることができる。
【０１１２】
波長制御部８６３は、ショーケース４０の除霜を終了するタイミングでトリガー信号を取得した場合、ショーケース照明機器４１の可視光の色温度を低くするためのショーケース照明波長制御信号を、ショーケース制御装置５０に送信する。これによって、波長制御部８６３は、ショーケース４０の棚部の温度が低下したとしても、暖かい色を人に見せることができる。このように、波長制御部８６３は、ショーケース照明機器４１の可視光の色温度を制御することによって、人に不快感を与えないようにすることができる。
【０１１３】
波長制御部８６３は、ショーケース４０の除霜を終了するタイミングでトリガー信号を取得した場合、室内照明機器７０の可視光の色温度を低くするための室内照明波長制御信号を、照明制御装置６０に送信する。これによって、波長制御部８６３は、室内の温度が低下したとしても、暖かい色を人に見せることができる。このように、波長制御部８６３は、室内照明機器７０の可視光の色温度を制御することによって、人に不快感を与えないようにすることができる。
【０１１４】
波長制御部８６３は、トリガー信号を取得しない場合でも、ショーケース４０が設置される室内の温度に基づいて、室内照明波長制御信号を照明制御装置６０に送信してもよい。例えば、波長制御部８６３は、室内の温度が閾値を超えた場合、色温度が高い可視光を室内に照射するための室内照明波長制御信号を、照明制御装置６０に送信してもよい。
【０１１５】
波長制御部８６３は、トリガー信号を取得しない場合でも、ショーケース４０が設置される室内の温度に基づいてショーケース照明波長制御信号をショーケース制御装置５０に送信してもよい。例えば、波長制御部８６３は、室内の温度が閾値を超えた場合、色温度が高い可視光をショーケース４０の棚部に照射するためのショーケース照明波長制御信号を、ショーケース制御装置５０に送信してもよい。
【０１１６】
波長制御部８６３は、トリガー信号を取得しない場合でも、ショーケース４０の棚部の温度に基づいて、ショーケース照明波長制御信号をショーケース制御装置５０に送信してもよい。例えば、波長制御部８６３は、ショーケース４０の棚部の温度が閾値を超えた場合、色温度が高い可視光をショーケース４０の棚部に照射するためのショーケース照明波長制御信号を、ショーケース制御装置５０に送信してもよい。
【０１１７】
波長制御部８６３は、トリガー信号を取得しない場合でも、ショーケース４０の周囲の温度に基づいて、ショーケース照明波長制御信号をショーケース制御装置５０に送信してもよい。例えば、波長制御部８６３は、ショーケース４０の周囲の温度が閾値を超えた場合、色温度が高い可視光をショーケース４０の棚部に照射するためのショーケース照明波長制御信号を、ショーケース制御装置５０に送信してもよい。
【０１１８】
波長制御部８６３は、トリガー信号を取得しない場合でも、ショーケース４０の周囲の温度に基づいて、室内照明波長制御信号を照明制御装置６０に送信してもよい。例えば、波長制御部８６３は、ショーケース４０の周囲の温度が閾値を超えた場合、色温度が高い可視光を室内に照射するための室内照明波長制御信号を、照明制御装置６０に送信してもよい。
【０１１９】
図１１は、機器群を連係させた場合での温度の変化の第２例を示す図である。横軸は時刻を示す。上から１段目の縦軸は、室内温度センサ１０による室内温度の測定値を示す。上から２段目の縦軸は、ショーケース温度センサ４２によるショーケースの棚部の温度の測定値（庫内温度の測定値）を示す。上から３段目の縦軸は、周囲温度センサ９０によるショーケース周囲の温度の測定値を示す。上から４段目の縦軸は、室内照明機器７０の可視光の色温度を示す。上から５段目の縦軸は、ショーケース照明機器４１の可視光の色温度を示す。
【０１２０】
時刻ｔ０において、室内温度センサ１０による室内の温度の測定値は、室内基準温度を示す。時刻ｔ０において、温度制御部８６１は、室内基準温度よりも低い温度（設定値）を示す室内温度制御信号を、空調制御装置２０に送信する。これによって、ショーケース４０の除霜を開始する前における室内の温度は低下する。
【０１２１】
時刻ｔ０において、ショーケース温度センサ４２によるショーケースの棚部の温度の測定値は、棚部基準温度（庫内の基準温度）を示す。時刻ｔ０において、周囲温度センサ９０によるショーケースの周囲の温度の測定値は、ショーケースの周囲の基準温度を示す。
【０１２２】
時刻ｔ０において、室内照明機器７０は、室内照明機器７０の基準波長の可視光を室内に照射する。時刻ｔ０において、ショーケース照明機器４１は、ショーケース照明機器４１の基準波長の可視光を、ショーケース４０の棚部に照射する。
【０１２３】
時刻ｔ１において、室内温度センサ１０による室内の温度の測定値は、室内基準温度よりも低い温度を示す。時刻ｔ１では、室外機４３は、ショーケース４０の除霜を開始する。時刻ｔ１において、ショーケース温度センサ４２によるショーケースの棚部の温度の測定値は、棚部基準温度を示す。時刻ｔ１において、周囲温度センサ９０によるショーケースの周囲の温度の測定値は、ショーケースの周囲の基準温度を示す。
【０１２４】
時刻ｔ１において、室内照明機器７０は、室内の温度の低下に応じて、暖かい色の可視光、すなわち色温度が低い可視光を室内に照射する。時刻ｔ１において、ショーケース照明機器４１は、室内の温度の低下に応じて、暖かい色の可視光をショーケース４０の棚部に照射する。
【０１２５】
時刻ｔ２において、室内温度センサ１０による室内の温度の測定値は、室内基準温度以上かつ温度Ｔ０以下を示す。時刻ｔ２において、室内の温度の測定値が温度Ｔ０以下を示す理由は、時刻ｔ１において、室内の温度が室内基準温度よりも低いためである。時刻ｔ２では、室外機４３は、ショーケース４０の除霜を終了する。時刻ｔ２において、ショーケース温度センサ４２によるショーケースの棚部の温度の測定値は、棚部基準温度以上かつ予め定められる上限の温度以下を示す。時刻ｔ２において、周囲温度センサ９０によるショーケースの周囲の温度の測定値は、ショーケースの周囲の基準温度よりも高い温度を示す。
【０１２６】
時刻ｔ２において、室内照明機器７０は、室内の温度の上昇に応じて、冷たい色の可視光、すなわち色温度が高い可視光を室内に照射する。時刻ｔ２において、ショーケース照明機器４１は、室内の温度の上昇に応じて、冷たい色の可視光をショーケース４０の棚部に照射する。図１１では、実線は、ショーケース照明機器４１が室内の温度の上昇に応じて可視光を照射した場合における、ショーケース照明機器４１の可視光の色温度の変化を示す。
【０１２７】
時刻ｔ２において、ショーケース照明機器４１は、ショーケース４０の棚部の温度の上昇に応じて、冷たい色の可視光をショーケース４０の棚部に照射してもよい。図１１では、破線は、ショーケース照明機器４１がショーケース４０の棚部の温度の上昇に応じて可視光を照射した場合における、ショーケース照明機器４１の可視光の色温度の変化を示す。
【０１２８】
時刻ｔ３において、室内温度センサ１０による室内の温度の測定値は、室内基準温度を示す。時刻ｔ２〜時刻ｔ３において、室外機４３は、ショーケース４０の棚部の温度を予め定められる温度まで戻す。すなわち、時刻ｔ３において、ショーケース温度センサ４２によるショーケースの棚部の温度の測定値は、棚部基準温度を示す。時刻ｔ３において、周囲温度センサ９０によるショーケースの周囲の温度の測定値は、ショーケースの周囲の基準温度を示す。
【０１２９】
時刻ｔ３において、室内照明機器７０は、室内照明機器７０の基準色温度の可視光を室内に照射する。時刻ｔ３において、ショーケース照明機器４１は、ショーケース照明機器４１の基準色温度の可視光を、ショーケース４０の棚部に照射する。
【０１３０】
以上のように、第３の実施形態の制御装置８０ｃは、波長制御部８６３を更に持つ。波長制御部８６３は、ショーケース４０又は室内の温度に応じて、ショーケース照明機器４１の光の波長を変化させる。波長制御部８６３は、ショーケース４０又は室内の温度に応じて、室内照明機器７０の光の波長を制御してもよい。
【０１３１】
これによって、第３の実施形態の制御装置８０ｃは、室内温度が変動しても、室内に居る人が感じる室内温度の変動を抑えることができる。第３の実施形態の制御装置８０ｃは、室内温度が変動しても、室内に居る人に不快感を与えないようにすることができる。第３の実施形態の制御装置８０ｃは、制御装置８０ｃの機器群が店舗に設置されている場合、来店した客の購買意欲を演色性によって増すことができる。
【０１３２】
また、第３の実施形態の制御装置８０ｃは、ショーケース照明機器４１から照射される可視光の色温度と、室内照明機器７０から照射される可視光の色温度とを、制御装置８０ｃが設置される店舗等の必要に応じて異ならせてもよい。例えば、第３の実施形態の制御装置８０ｃは、室内温度の低下に応じて室内照明機器７０から暖かい色（色温度）の可視光が照射される場合、店舗管理者の判断等に基づいて、室内照明機器７０から照射される可視光よりも冷たい色（色温度）の可視光をショーケース照明機器４１から照射させてもよい。例えば、第３の実施形態の制御装置８０ｃは、室内温度の上昇に応じて室内照明機器７０から冷たい色（色温度）の可視光が照射される場合、店舗管理者の判断等に基づいて、室内照明機器７０から照射される可視光よりも暖かい色（色温度）の可視光をショーケース照明機器４１から照射させてもよい。これによって、第３の実施形態の制御装置８０ｃは、ショーケース４０に陳列される商品の視覚的な印象を損なわないように、店舗管理者の判断に基づく色温度の可視光を商品に当てることができる。第３の実施形態の制御装置８０ｃは、来店した客の購買意欲を損なわないように、店舗管理者の判断に基づく色温度の可視光を商品に当てることができる。
【０１３３】
以上説明した少なくともひとつの実施形態によれば、物を冷蔵又は冷凍する陳列棚であるショーケースの除霜を開始する場合、ショーケースが設置される室内の温度を空調機器によって低下させる室内温度制御部と、ショーケースの除霜の終了後にショーケースの棚部の温度を予め定められる温度まで戻す場合、空調機器の運転を制御して空調機器の消費電力を変化させる電力制御部とを持つことにより、消費電力のピークを低く抑えてもショーケースの棚部の温度の変動を抑えることができる。
【０１３４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載される発明とその均等の範囲に含まれるものである。
【符号の説明】
【０１３５】
１ａ…制御システム、１ｂ…制御システム、１ｃ…制御システム、１０…室内温度センサ、２０…空調制御装置、３０…空調機器、４０…ショーケース、４１…ショーケース照明機器、４２…ショーケース温度センサ、４３…室外機、５０…ショーケース制御装置、６０…照明制御装置、７０…室内照明機器、８０ａ…制御装置、８１…通信部、８２…記憶部、８３…操作部、８４…表示部、８５…タイマ、８６ａ…制御部、９０…周囲温度センサ、１００…通信回線、１１０…監視装置、８６０…電力制御部、８６１…温度制御部、８６２…照度制御部、８６３…波長制御部
【図１】
2017101908.tif 000003
【図２】
2017101908.tif 000004
【図３】
2017101908.tif 000005
【図４】
2017101908.tif 000006
【図５】
2017101908.tif 000007
【図６】
2017101908.tif 000008
【図７】
2017101908.tif 000009
【図８】
2017101908.tif 000010
【図９】
2017101908.tif 000011
【図１０】
2017101908.tif 000012
【図１１】
2017101908.tif 000013